(57)【要約】      （修正有）【課題】コーヒードリップポット自体の加工等を施すことなく、注出口開口部に差込み装着することで、細く糸のようなドリップが可能になるコーヒードリップ補助具を提供する。【解決手段】湯が伝い落ちる滴下部Ａと、該ドリップポットの注出口内部に差込み、弾発的に係止保持するための差込み装着部Ｂからなるコーヒードリップ補助具であって、一本の線材の中央部を鋭角で折曲し、さらに該折曲部を俯角をなすよう折曲し、正面からは、アルファベットのＭの字、側面からは、カタカナのヘの字に形成され、中央に収束する部分の滴下部Ａの面を該ドリップポットの注出口の開口面と当接するように２方に開放する部分の差込み装着部Ｂをコーヒー用ドリップポット注出口開口部に差込み係止させる。【選択図】図１
0003141644.tif 000002
【実用新案登録請求の範囲】
【請求項１】
コーヒー用ドリップポットの注出口開口部に装着し、湯をドリップするための補助具において、該ドリップポットの注出口開口面より露出し、湯が伝い落ちる滴下部（Ａ）と、該ドリップポットの注出口内部に差込み、弾発的に係止保持するための差込み装着部（Ｂ）からなるを特徴とするコーヒードリップ補助具。
【請求項２】
滴下部（Ａ）、並びに差込み装着部（Ｂ）は、一本の線材の中央部を鋭角で折曲し、さらに該折曲部を俯角をなすよう折曲し、正面からは、アルファベットのＭの字（図２）、側面からは、カタカナのヘの字（図３）に形成されるを特徴とする請求項１に記載のコーヒードリップ補助具。
【考案の詳細な説明】
【技術分野】
【０００１】本考案は、ドリップ方式でのコーヒー抽出方法に関し、特に蒸らしのためのドリップに関するもの。
【背景技術】
【０００２】雑味が無く、香り高い、旨いコーヒーを飲むために、ハンドドリップ方式でコーヒーを抽出しようとする場合、最初、いかに効率良く挽き豆を蒸らし、その後、太めにドリップして、浮いて出てきたアクをコーヒー抽出液と一緒に落とさず、しかも余り時間をかけずに抽出することが最良の方法として、特に蒸らしの部分が一番重要なポイントとして認識され、実用新案登録３１３１２５７号での蒸らしのためのコーヒードリッパー、或いは特開２００６−２６３６７での蒸らし容器付きコーヒードリッパー、さらに特開２００６−３０５２７４でのコーヒー蒸らし注湯器等の研究開発も行われている。【０００３】コーヒーをドリップ方式で抽出する場合のポイントとなる最初の蒸らしについては、画一的、機械的に出来るというものではなく、ハンドドリップにより挽き豆の表情を見ながら限りなく細くて糸のようなドリップが理想的な蒸らしを可能にするということで、これまでコーヒードリップポットの注出口を細口とする。さらに注出口の開口先端部を注出湯が可視出来るように削る。或いは注出口開口先端部を安定的なドリップとなるよう曲げる。或いは注出口開口先端部をさらに細くするために潰す。等、種々試行がなされ、公開もされてきた。【０００４】しかしながら、ハンドドリップ用のコーヒードリップポットに理想的な蒸らしのためのドリップが出来るものが無く、せっかく良質で、かつ焙煎後数日以内の新鮮なコーヒー豆を使用したとしても、湯の一滴、一滴でその味が変わるほど繊細で難しいコーヒーにあって、その香味を１００％引き出せていないばかりか、逆に不味いコーヒーを抽出しているという非常に残念な状況となっている。
【考案の開示】
【考案が解決しようとする課題】
【０００５】ハンドドリップ方式によるコーヒー抽出に関し、従前のドリップポットに何ら加工を施すことなく、また特に蒸らしのための器具、或いは特殊なドリッパーを必要とせず、理想的な蒸らし実現のためのドリップを可能にし、結果として旨いコーヒーが抽出可能なコーヒードリップ補助具を提供する。
【課題を解決するための手段】
【０００６】本考案は、コーヒー用ドリップポットの注出口開口部に装着し、湯をドリップするための補助具において、該ドリップポットの注出口より露出し、湯が伝い落ちる滴下部（Ａ）と、該ドリップポットの注出口内部に差込み、弾発的に係止保持するための差込み装着部（Ｂ）からなるコーヒードリップ補助具であって、一本の線材の中央部を鋭角で折曲し、さらに該折曲部を俯角をなすよう折曲し、正面からは、アルファベットのＭの字（図２）、側面からは、カタカナのヘの字（図３）に形成されたコーヒードリップ補助具であって、中央に収束する部分の滴下部（Ａ）の面を該ドリップポットの注出口の開口面と当接するように２方に開放する部分の差込み装着部（Ｂ）をコーヒー用ドリップポット注出口開口部に差込み係止させることで、該ドリップポットの注出口から出た湯は滴下部（Ａ）を伝い、Ｖ字形の先端部で減速収束され、細く糸のようなドリップとなり、ネルフィルター或いはペーパーフィルター内の挽き豆全体に湯が行き渡るまで、ドリッパーからの抽出コーヒー液の滴下がほとんどない理想的な蒸らしが実現する。蒸らしの後の本ドリップでは、太いドリップが必要となるが、該ドリップポットに本考案を装着状態のままで何ら問題なくドリップが可能で、結果として、旨いコーヒーが抽出出来る。
【考案を実施するための最良の形態】
【実施例】
【０００７】本考案の滴下部（Ａ）の長さは、１５ｍｍから４０ｍｍの間で、その効果を発揮するが、１５ｍｍ以下とすると注出された湯が収束するに難しく、また４０ｍｍに近くになると、ドリップの早い時期に敵下部（Ａ）の鋭角先端部が鉛直線上からずれ、滴下する湯が滴下部（Ａ）に沿って落ちなくなり、滴下部（Ａ）の長さは３０ｍｍ前後とするのが望ましい。【０００８】本考案の素材の直径は、０．５ｍｍ以上２ｍｍ未満とすることで、その効果を発揮するが、本考案の素材は、耐蝕金属あるいは耐熱樹脂で形成されるも、その断面は円形が望ましく、その直径においては、０．５ｍｍ以下の場合、滴下部（Ａ）で湯が収束して１本になろうとするが、逆にその流れを乱してしまい、また２ｍｍを超えると滴下部先端でその流れが完全に二分され安定的に連続した一本のドリップとはならず、１ｍｍ前後の直径とするのが好ましい。【０００９】本考案の滴下部（Ａ）における鋭角先端部の角度は、内角で１５度から２０度以内とするのが好ましい。ドリップポットの注出口の内径は６ｍｍから８ｍｍを呈しているものがほとんどであるから、２０度以上とすると差込み装着部（Ｂ）の開放先端部が大きく開き、その状態で差込み装着すると滴下部（Ａ）が直線的ではなく外側に弧を描くような歪を生じ、注出口の湯はうまく収束せず、一方、鋭角先端部の内角を１５度以下とすると、差込み装着部（Ｂ）の開放先端部が必要以上に狭められ、該ドリップポットの注出口に安定的に係止出来ないばかりか、注出してきた湯と一緒に脱落の可能性もある。【００１０】本考案の差込み装着部（Ｂ）においては、その長さを４０ｍｍ前後とするのが好ましい。また、本考案を装着するドリップポットの注出円筒部が弧を描いているもの、或いは緩いアルファベットのＳ字を描いているものがあり、差込み装着部（Ｂ）は必ずしも直線的である必要はなく、該ドリップポットの形状に合わせて曲げ加工を施し、滴下部（Ａ）のＶ字をなす面が該ドリップポットの注出口の開口面に当接するように差込み装着部（Ｂ）を、あるいは滴下部（Ａ）の俯角を調整して差込み係止するのが望ましい。
【図面の簡単な説明】
【００１１】
【図１】  本考案の斜視図
【図２】  本考案の正面図
【図３】  本考案の側面図
【図４】  図５のＡ−Ａ線側断面図
【図５】  本考案の装着図
【符号の説明】
【００１２】    １  本考案のコーヒードリップ補助具
２  コーヒー用ドリップポット
Ａ  本考案の滴下部
Ｂ  本考案の差込み装着部
【図１】
0003141644.tif 000003
【図２】
0003141644.tif 000004
【図３】
0003141644.tif 000005
【図４】
0003141644.tif 000006
【図５】
0003141644.tif 000007
【手続補正書】
【提出日】平成20年2月4日(2008.2.4)
【手続補正１】
【補正対象書類名】実用新案登録請求の範囲
【補正対象項目名】請求項２
【補正方法】変更
【補正の内容】
【請求項２】
滴下部（Ａ）、並びに差込み装着部（Ｂ）は、一本の線材の中央部を鋭角で折曲し、さらに該折曲部を俯角をなすように折曲して形成されるを特徴とする請求項１に記載のコーヒードリップ補助具。
【手続補正２】
【補正対象書類名】明細書
【補正対象項目名】０００６
【補正方法】変更
【補正の内容】
【０００６】本考案は、コーヒー用ドリップポットの注出口開口部に装着し、湯をドリップするための補助具において、該ドリップポットの注出口より露出し、湯が伝い落ちる滴下部（Ａ）と、該ドリップポットの注出口内部に差込み、弾発的に係止保持するための差込み装着部（Ｂ）からなるコーヒードリップ補助具であって、一本の線材の中央部を鋭角で折曲し、さらに該折曲部を俯角をなすように折曲して形成されたコーヒードリップ補助具であって、中央に収束する部分の滴下部（Ａ）の面をコーヒー用ドリップポットの注出口の開口面と当接するように２方に開放する部分の差込み装着部（Ｂ）を該ドリップポット注出口開口部に差込み係止させることで、該ドリップポットの注出口から出た湯は滴下部（Ａ）を伝い、Ｖ字形の先端部で減速収束され、細く糸のようなドリップとなり、ネルフィルター或いはペーパーフィルター内の挽き豆全体に湯が行き渡るまで、ドリッパーからの抽出コーヒー液の滴下がほどんどない理想的な蒸らしが実現する。蒸らしの後の本ドリップでは、太いドリップが必要となるが、該ドリップポットに本考案を装着状態のままで何ら問題なくドリップが可能で、結果として、旨いコーヒーが抽出出来る。